(57)【特許請求の範囲】
【請求項１】
患者に対応する画像データに基づいてプロトコルの電子リポジトリから処理プロトコルをユーザ相互作用なしに選択するコンピュータ実行可能命令、並びに、異なる程度のユーザ相互作用を含む複数の処理モードから一つの処理モードを選択するコンピュータ実行可能命令を、データアナライザを介して実行するステップと、
前記データアナライザを介して、対象に対する機能的画像データを前記選択された処理プロトコルで前記選択された処理モードの下で処理するステップと、
前記処理されたデータに対して、前記選択された処理プロトコル及び／又は処理モードが調整されるべきかどうかをチェックするステップと、
前記チェックの結果に基づいて、前記選択された処理プロトコル及び／又は処理モードを調整するステップと、
前記データアナライザが前記調整された処理プロトコル及び／又は処理モードで前記機能的画像データを処理するステップと、
を有する、方法。
【請求項２】
前記選択された処理モードがユーザ相互作用なしに前記データを処理し、前記調整された処理モードがユーザ相互作用とともに前記データを処理する、請求項１に記載の方法。
【請求項３】
前記処理プロトコルが複数のコンピュータ実行可能動作を含み、前記チェックの結果に基づいて、前記データアナライザが前記複数の動作のうち少なくとも１つをユーザ相互作用とともに実行し、前記複数の動作のうちの少なくとも１つは前記チェックの前に自動的に実行されている、請求項１又は２に記載の方法。
【請求項４】
前記複数の動作が、
前記患者データから画像データをレジストレーションするステップと、
前記画像データ内の基準血管を識別するステップと、
前記レジストレーションされた画像データと前記識別された基準血管に基づいて少なくとも１つの灌流マップを作成するステップと、
前記少なくとも１つの灌流マップに基づいて概要マップを作成するステップとを含む、請求項３に記載の方法。
【請求項５】
前記チェックが前記少なくとも１つの灌流マップを評価するステップを含む、請求項４に記載の方法。
【請求項６】
前記対象の生理的状態が前記選択された処理プロトコルに反映されていない場合、前記処理モードを変更するステップをさらに有する、請求項１乃至４のいずれか一項に記載の方法。
【請求項７】
前記チェックが、時間濃度曲線の形状若しくは前記基準血管の位置、又は前記画像データ若しくは前記データアナライザによって処理された画像データから導出される他の特徴のうちの少なくとも１つを評価するステップを含む、請求項１乃至６のいずれか一項に記載の方法。
【請求項８】
前記患者に対応する非画像データに基づいて前記処理プロトコルを選択するステップをさらに含み、前記非画像データは、前記対象の心拍数、神経学的症状、神経学的欠損、又は血管異常のうちの１つ以上を示す情報を含む、請求項１乃至７のいずれか一項に記載の方法。
【請求項９】
データアナライザであって、
患者に対する画像データに基づいてプロトコルリポジトリに保存された複数の処理プロトコルから１つの処理プロトコルをユーザ相互作用なしに選択するプロトコルセレクタと、
前記データアナライザに対して、異なる程度のユーザ相互作用を含む複数の処理モードから一つの処理モードを選択するモードセレクタと、
前記選択された処理プロトコルを利用して、前記選択された処理モードの下で前記患者に対する患者データを処理するプロセッサと、
前記処理されたデータに対して、前記選択された処理プロトコル及び／又は処理モードが調整されるべきかどうかをチェックするチェッカと、
前記チェックの結果に基づいて、前記選択された処理プロトコル及び／又は処理モードを調整するプロトコル調整部とを有し、前記プロセッサは前記調整された処理プロトコル及び／又は処理モードを利用して前記患者データを処理する、データアナライザ。
【請求項１０】
前記患者データがコンピュータ断層撮影灌流データを含む、請求項９に記載のデータアナライザ。
【請求項１１】
前記モードセレクタが前記チェックの結果に基づいて前記データアナライザを自動モード、半ユーザインタラクティブモード、及びユーザインタラクティブモードの間で移行させる、請求項９又は１０に記載のデータアナライザ。
【請求項１２】
前記選択された処理プロトコルが複数のコンピュータ実行可能動作を含み、前記プロセッサがユーザ相互作用なしに前記複数の動作を実行する、請求項９乃至１１のいずれか一項に記載のデータアナライザ。
【請求項１３】
前記選択された処理プロトコルが複数のコンピュータ実行可能動作を含み、前記チェックの結果に基づいて、前記プロセッサが前記複数の動作のうちの少なくとも１つをユーザ相互作用とともに実行する、請求項９乃至１１のいずれか一項に記載のデータアナライザ。
【請求項１４】
前記患者データが灌流画像データを含み、前記プロセッサが前記患者データに基づいて少なくとも１つの灌流マップを作成する、請求項９乃至１３のいずれか一項に記載のデータアナライザ。
【請求項１５】
前記プロセッサが前記少なくとも１つの灌流マップに基づいて概要マップを作成する、請求項１４に記載のデータアナライザ。
【請求項１６】
コンピュータによって実行されるとき、
診断画像データを得る後処理のための入力を含む患者データをロードするステップと、
前記患者に対する画像データに基づいてユーザ相互作用なしにデータベースから処理プロトコルを選択するステップと、
異なる程度のユーザ相互作用を含む複数の処理モードから一つの処理モードを選択するステップと、
ユーザ相互作用なしに前記選択された処理プロトコルで、前記選択された処理モードの下で前記患者データを処理するステップと、
前記処理されたデータに対して、前記選択された処理プロトコル及び／又は処理モードが調整されるべきかどうかをチェックするステップと、
前記チェックの結果に基づいて、前記選択された処理プロトコル及び／又は処理モードを調整し、前記調整された処理プロトコル及び／又は処理モードで前記患者データを処理するステップとを前記コンピュータに実行させる命令を含む、コンピュータ可読記憶媒体。
【請求項１７】
コンピュータによって実行されるとき、前記チェックの結果に基づいて、ユーザ相互作用とともに前記患者データを処理するステップを前記コンピュータに実行させる命令をさらに含む、請求項１６に記載のコンピュータ可読記憶媒体。
【請求項１８】
コンピュータによって実行されるとき、前記患者データに対する画像データをレジストレーションするステップ、及び前記画像データ内の基準動脈を識別するステップのうちの１つ以上を、ユーザ相互作用なしに前記コンピュータに実行させる命令をさらに含む、請求項１６又は１７に記載のコンピュータ可読記憶媒体。
【請求項１９】
コンピュータによって実行されるとき、前記レジストレーションされた画像データ及び前記識別された動脈に基づいて少なくとも１つの灌流マップを作成するステップを、ユーザ相互作用なしに前記コンピュータに実行させる命令をさらに含む、請求項１８に記載のコンピュータ可読記憶媒体。
【請求項２０】
コンピュータによって実行されるとき、前記灌流マップに基づいて少なくとも１つの概要マップを作成するステップを、ユーザ相互作用なしに前記コンピュータに実行させる命令をさらに含む、請求項１９に記載のコンピュータ可読記憶媒体。
【請求項２１】
コンピュータによって実行されるとき、時間濃度曲線の形状、前記患者の生理的パラメータ、前記患者の動き、前記患者への造影剤投与についての情報、基準血管の位置、作成された灌流マップ、及び前記患者に対するＣＴＰ画像データのうちの１つ以上に基づいて前記選択された処理プロトコルを調整するステップを、前記コンピュータに実行させる命令をさらに含む、請求項１６乃至２０のいずれか一項に記載のコンピュータ可読記憶媒体。
【請求項２２】
コンピュータによって実行されるとき、インタラクティブ、半自動、及び完全自動処理モードの間で切り替える動作を前記コンピュータに実行させる命令をさらに含む、請求項１６乃至２１のいずれか一項に記載のコンピュータ可読記憶媒体。
【発明の詳細な説明】
【技術分野】
【０００１】
以下は概して灌流画像に関し、特にコンピュータ断層撮影灌流（ＣＴＰ）に応用される。しかしながら、完全に若しくは部分的に自動化されることができる、及び／又はインタラクティブユーザ入力に基づくことができる、１つ以上の処理ステップを適用後に最終画像結果が利用可能になる応用を含む、他の医用画像応用及び非医用画像応用にも適している。
【背景技術】
【０００２】
コンピュータ断層撮影灌流（ＣＴＰ）画像は、脳卒中患者などの脳の灌流障害を持つ患者の診断を容易にするために使用されることができる情報を提供する。一般的に、典型的なＣＴＰ手順は患者へ造影剤を静脈内投与することを含む。それから、患者の関心臓器、例えば脳が走査される。造影剤がこの臓器の血管構造を通って流れ、そこから流れ去るにつれて、造影剤はこの臓器内のＸ線密度を一時的に増加させる。
【０００３】
造影剤が脳の血管構造を通って流れる際、造影剤を追跡するために異なる時間間隔にわたってデータが収集され、画像が生成される。得られるデータは、虚血組織を識別するため、及び／又は、回復不能な損傷組織（壊死組織、又は梗塞のコア）と回復の可能性がある損傷組織（危険な状態にある組織、又は梗塞のペナンブラ）とを区別するために、例えば脳卒中患者において使用されることができる。
【０００４】
ソフトウェアアプリケーション灌流パッケージは、ユーザによるＣＴＰ画像データの分析のインタラクティブ制御を提供する。こうしたパッケージは、脳血流（ＣＢＦ）、脳血液量（ＣＢＶ）、平均通過時間（ＭＴＴ）、及びピーク到達時間（ＴＴＰ）マップを示す視覚的又は図式的灌流パラメータマップ、並びに、脳内の低灌流領域を示す灌流パラメータマップに基づく概要マップを作るために使用されることができる。
【０００５】
こうしたマップは梗塞のコアとペナンブラを識別するのに役立ち、治療決定に影響を及ぼし得る、例えば、総虚血領域（コア＋ペナンブラ）に対するコアの割合が、回復の可能性のある損傷組織（ペナンブラ）を守るために血栓溶解又は他の治療法が適用されるべきかどうかを決定するために使用される。
【０００６】
あいにく、こうしたユーザ制御はかなりの量のユーザ相互作用を要し、これは灌流マップの作成を時間のかかる、間違いを起こしやすいタスクに、及び／又は退屈なものにし得る。例えば、ユーザは画像データのレジストレーション、画像データのフィルタリング、灌流マップの作成、画像データ内の血管の識別などといった一連の個々のタスクに取り組まなければならない可能性がある。これらのタスクの１つ以上を自動化することはユーザ相互作用の量を減らし得るが、自動化もまた間違いを起こしやすく、これは誤った診断及び／又は治療決定につながり得る。
【発明の概要】
【発明が解決しようとする課題】
【０００７】
本願の態様は上述の問題などに取り組むものである。
【課題を解決するための手段】
【０００８】
一態様によれば、方法は、患者に対応する画像データ及び非画像データに基づいてプロトコルの電子リポジトリから処理プロトコルをユーザ相互作用なしに選択するコンピュータ実行可能命令を、データアナライザを介して実行するステップ、データアナライザを介して、対象に対する機能的画像データを選択された処理プロトコルで第１の処理モードの下で処理するステップ、及び、処理されたデータに対して妥当性チェックを実行するステップを含む。
【０００９】
別の態様によれば、データアナライザは、患者に対する画像データ及び非画像データに基づいてプロトコルリポジトリに保存された複数の処理プロトコルから１つの処理プロトコルを選択するプロトコルセレクタ、選択された処理プロトコルを利用してユーザ相互作用なしに患者に対する患者データを処理するプロセッサ、及び、処理されたデータが妥当性チェックを満たさない場合、選択された処理プロトコルをユーザ入力に基づいて調整するプロトコル調整部を含み、プロセッサは調整された処理プロトコルを利用して患者データを処理する。
【００１０】
別の態様によれば、コンピュータ可読記憶媒体は、コンピュータによって実行されるときにコンピュータに以下のステップを実行させる命令を含む：診断画像データを得る後処理のための入力を含む患者データをロードするステップ、ユーザ相互作用なしに、患者に対する画像データ及び非画像データに基づいて、データベースから処理プロトコルを選択するステップ、ユーザ相互作用なしに、選択された処理プロトコルで患者データを処理するステップ、及び、処理されたデータが妥当性チェックを満たさない場合、選択された処理プロトコルを調整し、調整された処理プロトコルで患者データを処理するステップ。
【００１１】
本発明は様々な構成要素及び構成要素の配置で、並びに様々なステップ及びステップの配置で具体化し得る。図面は好適な実施形態を例示する目的に過ぎず、本発明を限定するものと解釈されるものではない。
【図面の簡単な説明】
【００１２】
【図１】画像システムと接続するデータアナライザを図示する。
【図２】データアナライザ例を図示する。
【図３】方法例を図示する。
【発明を実施するための形態】
【００１３】
以下は概して、画像データ、非画像データ、及び／又は他の情報に基づいて選択される処理プロトコルを用いて、画像データ及び／又は他のデータなどの患者データを処理することに関する。処理プロトコルは事前に認証されたプロトコルであるか、又は例えば画像データ、非画像データ、妥当性チェック、及び／又は他の情報に基づいて調整される、調整された事前に認証されたプロトコルであることができる。
【００１４】
一例において、選択されたプロトコルでの処理は自動化され、データは選択されたプロトコルを用いてユーザ相互作用なしに処理される。かかる例において、１つ以上の妥当性チェック（自動及び／又は手動）が処理中及び／又は処理後に実行されることができ、チェックは、プロトコルが調節されるべきかどうか、適切なプロトコル調節、及び／又は、処理ステップの１つ以上がユーザ相互作用とともに実行されるべきかどうかの決定を容易にするために使用されることができる。そしてデータは調節されたプロトコルを用いて、及び／又は半自動若しくは手動モードで再度処理されることができる。別の実施形態において、選択されたプロトコルでの処理は最初に半自動又は手動であり、データは処理ステップの一部又は全ての間、ユーザ相互作用とともにプロトコルを用いて処理される。上記は患者に対する研究の処理の調整を可能にする。
【００１５】
かかる処理は、患者データの処理前、処理中、及び／又は処理後に、インタラクティブ、半自動、及び自動処理の間で自動的に又は手動で切り替えられ得ることもまた理解される。例えば、処理が最初は完全自動処理に設定されると仮定すると、システム及び／又はユーザは、時間濃度曲線の形状、患者の生理的パラメータ、患者の動き、造影剤投与についての情報、基準血管の位置、作成された灌流マップ、平均通過時間（ＭＴＴ）、脳血液量（ＣＢＶ）、脳血流（ＣＢＦ）、及びピーク到達時間（ＴＴＰ）などのパラメータ、選択されたプロトコル、利用可能なプロトコル、ＣＴＰ画像データ、画像データのレジストレーション、画像データのセグメント化などといった情報を評価することができ、処理モードを半自動モード又はインタラクティブモードに切り替え得る。同様に、モードは利用可能な情報に基づいて任意の開始モードから１つ以上の他のモードへ切り替えられることができる。
【００１６】
説明のため、上記はＣＴＰ画像データの処理に関して以下により詳細に記載される。ＭＲ、ＵＳ、ＳＰＥＣＴ、ＰＥＴなどの他のモダリティからの他のデータ及び／又は他の機能的画像データもまた処理されることができる。図１は固定ガントリ１０２と、固定ガントリ１０２によって回転可能に支持される回転ガントリ１０４とを含むコンピュータ断層撮影（ＣＴ）スキャナ１００を図示する。
【００１７】
回転ガントリ１０４は前後軸すなわちｚ軸１０８まわりに検査領域１０６の周囲を回転する。Ｘ線管などの放射源１１０は回転ガントリ１０４によって支持され、検査領域１０６の周囲を回転ガントリ１０４とともに回転する。放射源１１０は放射線を放出し、これはコリメータ１１２によって平行にされ、検査領域１０６を横断する一般的に扇形、くさび形、又は円錐形の放射線ビームを作り出す。放射線感受性検出器アレイ１１４は検査領域１０６を横断する光子を検出し、それを示す投影データを生成する。
【００１８】
再構成部１１６は投影データを再構成し、その中にある対象の部分を含む検査領域１０６を示す体積画像データを生成する。カウチなどの患者支持台１１８は走査のために患者を支持する。汎用計算システム１２０はオペレータコンソールとして機能する。コンソール１２０上にあるソフトウェアはオペレータがシステム１００の操作を制御することを可能にする。
【００１９】
スキャナ１００は脳又は他の血管組織のＣＴＰ手順及び／又は他の手順などの時系列造影撮像法を実行するために使用されることができる。かかる手順は、対象への静脈内ヨード造影剤などの造影剤ボーラスの投与、そして対象の脳の経時的走査を含み得る。造影剤の投与後、造影剤が脳の血管構造を通って流れるにつれて脳のＸ線密度は一時的に変化する。一例において、造影剤取り込みの開始から、その脳の通過後の洗い出しまでの画像が取得される。
【００２０】
造影剤が脳の血管構造を通過すると、その流れは複数の走査を介して追跡されることができる。得られるＣＴＰ画像データは虚血組織を識別するため、及び／又は回復不能な損傷組織と回復の可能性がある損傷組織を区別するために、例えば脳卒中患者又は別の神経血管疾患を持つ患者において使用されることができる。スキャナ１００は他の撮像法を実行するために付加的に又は代替的に使用されることができる。
【００２１】
データアナライザ１２２は画像データを分析する。一例において、これは平均通過時間（ＭＴＴ）、脳血液量（ＣＢＶ）、脳血流（ＣＢＦ）、ピーク到達時間（ＴＴＰ）などのパラメータ、及び／又は１つ以上の他のパラメータを示す１つ以上の灌流マップ、及び／又は灌流マップの１つ以上に基づく概要マップを作成することを含む。
【００２２】
プロトコル識別部１２４はＣＴＰデータを処理するためのプロトコルを識別する。以下により詳細に記載される通り、プロトコルは非画像データ（例えば患者の状態、病歴、病理など）、画像データ（例えばプロトコル、パラメータなど）、ユーザ入力及び／又は他の入力などの様々な入力に基づいて識別されることができ、既存のプロトコル、新しく導出されたプロトコル、調整されたプロトコル、及び／又は他のプロトコルであることができる。
【００２３】
出力装置１２６はＣＴＰデータ、中間データ（例えばレジストレーションされたデータ、セグメント化データ、フィルタデータなどの前処理データ）、灌流マップの１つ以上、概要マップ、及び／又は他の情報などのデータを提示するために使用されることができる。かかるデータは分析の妥当性チェックを実行するために使用されることができる。妥当性チェックは時間濃度曲線（ＴＣＣ）の形状、基準血管の位置、１つ以上の灌流マップ、概要マップ、及び／又は他の情報を評価することを含み得る。
【００２４】
一例において、臨床医及び／又は実行しているコンピュータ可読命令が処理中の任意のステップにおいて妥当性チェックに不一致を観察する場合、及び／又は、選択されたプロトコル、造影剤投与、患者状態、臨床医の経験、及び／又は他の情報に基づいて妥当性チェックが失敗しそうであると考える場合、１つ以上のプロトコルパラメータは調節されることができ、データアナライザ１２２は調節されたプロトコルでデータを処理することができる。
【００２５】
代替的に又は付加的に、データアナライザ１２２はインタラクティブ又は半インタラクティブモードで動作することができ、そこで臨床医はデータアナライザ１２２が１つ以上の処理ステップを実行している間にデータアナライザ１２２と相互作用する（例えば入力を与える）。従って、データアナライザ１２２はユーザ相互作用を減らし処理速度を改良しながら、プロトコルでのデータ処理及び／又は、間違った診断及び／又は治療決定につながり得る灌流マップ及び／又は概要マップへの依存を軽減することができる。
【００２６】
別の例において、分析はＷＯ２００８／０３４１８２に記載されているような固定された調節不可能なプロトコルを用いて完全に自動化される。あいにくこのアプローチは、プロトコルが患者固有パラメータ、妥当性チェック、手順固有情報などを考慮しないため間違いを起こしやすく、また分析は一般的に、間違った診断及び／又は治療決定につながり得る処理を軽減するために時折必要とされ得るユーザ相互作用を許可しない。
【００２７】
図２は限定されない例であるデータアナライザ１２２を図示する。データアナライザ１２２はＣＴＰ及び／又は他のデータを処理するプロセッサ２０２を含む。ＣＴＰデータ分析の背景において、処理は画像データのレジストレーション、画像データのセグメント化、画像データのフィルタリング、１つ以上の灌流マスクの作成、１つ以上の血管（例えば基準動脈など）及び／又は画像データ内の正中線の規定、画像データ及びその中で規定された血管に基づく１つ以上の灌流マップの作成、灌流マップに基づく概要マップの作成などを含み得る。
【００２８】
図示された実施例において、ＣＴＰデータはスキャナ１００によって生成される。他の実施形態において、データは異なるモダリティ又は装置によって生成されることができる。データはデータ生成装置によって提供されるか、又はデータベースなどの画像リポジトリ、又は病院情報システム（ＨＩＳ）、放射線医学情報システム（ＲＩＳ）、画像保管通信システム（ＰＡＣＳ）、電子患者記録（ＥＰＲ）システム、及び／又は他のシステムなどの記録保管システムから収集され得る。
【００２９】
モードセレクタ２０４はプロセッサ２０２のための動作モードを識別する。適切なモードは、プロセッサ２０２がユーザ相互作用なしにＣＴＰデータを処理する完全自動モード、処理動作の１つ以上がある程度のユーザ相互作用とともに実行される部分的に自動化された又はインタラクティブモード、及びユーザが手動で動作を進行する手動モードを含む。図示の通り、ユーザはプロセッサ２０２及び／又はモードセレクタ２０４と相互作用してモードを設定及び／又は変更し得る。
【００３０】
ユーザは設定構成２０６においてデフォルト又はユーザ定義モードを設定し得、これはモードセレクタ２０４によって読み取り可能である。モードは処理のために及び／又は処理中に変更されることができる。ユーザ又はモードセレクタ２０４は、画像データ、非画像データ、及び／又は他の情報に基づいて研究用のモードを選択し得る。かかる情報は、利用可能なプロトコルのうちの１つを利用することが、満足のいかない、すなわち不成功に終わる妥当性チェックをもたらしそうであるということ、及び／又は、結果に影響を及ぼし得る情報が選択されたプロトコルにおいて考慮されていないことを示し得る。
【００３１】
プロトコルセレクタ２０８は処理プロトコルを識別する。一例において、識別されたプロトコルは複数のプロトコル２１２を含むプロトコルリポジトリ２１０からのプロトコルである。プロトコルリポジトリ２１０内のプロトコル２１２は事前に定義された認証されたプロトコルであってよく、患者及び／又は撮像法の特徴に関連する。従って、患者状態及び／又は撮像法パラメータがプロトコル候補を識別するために使用されることができる。
【００３２】
プロトコルリポジトリ２１０は、患者情報データベース、又はＨＩＳ、ＲＩＳ、ＰＡＣＳ、ＥＰＲシステム及び／又は他のシステムなどの記録保管システムから得られるプロトコルを含み得る。プロトコル調整部２１４及び／又はユーザは選択されたプロトコル及び／又はプロトコルリポジトリ２１０内のプロトコルを調整し、プロトコルリポジトリ２１０内のプロトコルに基づいてプロトコルを導出し、及び／又はプロトコルリポジトリ２１０から代替プロトコルを選択することができる。
【００３３】
プロトコルセレクタ２０８は、画像データ、非画像データ、妥当性チェック、及び／又はユーザ入力などの情報に基づいてプロトコルを識別することができる。非画像データの例は、限定されないが、患者の状態（例えば心臓血管疾患）、生理的パラメータ（例えば心拍数）、神経学的症状、神経学的欠損、狭窄のような血管異常などの既知の異常、及び／又は他の情報を含む。画像データの例は、限定されないが、画像収集パラメータ、走査タイミング情報、造影剤投与タイミング情報、及び／又は他の情報を含む。
【００３４】
出力装置１２６は、ＣＴＰデータ、レジストレーションされた画像データ、フィルタ画像データ、マスク画像データ、セグメント化画像データ、１つ以上の識別された血管、作成された灌流マップ（ＭＴＴ、ＣＢＦ、ＣＢＶなど）の１つ以上、時間濃度曲線、概要マップ、及び／又は他の情報を人が読み取り可能な形式で提示する。上記の通り、この情報に基づいてユーザは、例えば多かれ少なかれユーザ相互作用を介して異なる又は調整されたプロトコルを用いてＣＴＰデータを再度処理し得る。
【００３５】
図示された実施形態において、妥当性チェッカ２１６がデータをチェックする。この例において、データアナライザ１２２はＣＴＰデータが再度処理されるべきかどうかを示すデータを生成する、及び／又は、処理プロトコル及び／又は処理モードに変更を提案することができる。別の例において、出力装置１２６は妥当性チェッカ２１６の出力を提示し、ユーザがこの情報を決定する。別の実施形態において、妥当性チェッカ２１６は省略される。
【００３６】
図３はフロー図を図示する。
【００３７】
３０２において、処理のためのデータセットが識別される。上記の通り、適切なデータはＣＴ、ＭＲ、ＵＳ、ＳＰＥＣＴ、ＰＥＴなどの画像診断法によって生成される画像灌流データを含む。
【００３８】
３０４において、処理プロトコルが識別される。上記の通り、識別されるプロトコルはプロトコルリポジトリから取得されるか、そこから導出されるか、又は新たに生成されることができる。プロトコルは画像データ、非画像データ、及び／又は他の情報などの情報に基づいて識別されることができる。
【００３９】
３０６において、処理モードが選択される。モードは自動、半自動、又は手動モードであり得る。モードはデフォルトモードであるか、又は画像データ、非画像データ、及び／又は他の情報に基づいて選択されるモードであり得る。
【００４０】
３０８において、識別された処理プロトコルを用いて、選択されたモードに基づいてデータが処理される。かかる処理はまた、画像データのレジストレーション、画像データのフィルタリング、灌流マスクの作成、画像データのセグメント化、１つ以上の基準血管の識別、１つ以上の灌流マップの作成、概要マップの作成及び／又は他の処理など、様々な前処理も含み得る。
【００４１】
３１０において、レジストレーションされた画像データ、フィルタデータ、マスク、セグメント化データ、識別された基準血管、１つ以上の灌流マップ、及び概要マップを含む、処理されたデータに対して妥当性チェックが実行される。
【００４２】
３１２において、妥当性チェックに基づいて、処理プロトコルが変更又は調整され得る、及び／又は、処理ステップの１つ以上が異なる程度のユーザ相互作用とともに異なるモードを用いて実行され得る。
【００４３】
別の例において、ユーザは動作３０８においてデータが処理される前にユーザ相互作用とともに処理ステップの１つ以上を実行することを決定し得る。例えば、妥当性チェックが失敗しそうであるとユーザが考える場合、ユーザはデータアナライザ１２２のモードを半インタラクティブモードに変更することができる。
【００４４】
上記は、コンピュータプロセッサによって実行されるときにプロセッサに本明細書に記載の動作を実行させる、コンピュータ可読命令を用いて実施され得る。かかる場合において、命令は関連コンピュータに付随する及び／又は他の方法でアクセス可能なメモリなどのコンピュータ可読記憶媒体に保存される。
【００４５】
本発明は様々な実施形態に関して本明細書に記載されている。修正及び変更は本明細書の記載を読むことで想到され得る。本発明はかかる修正及び変更が添付の請求項又はその均等物の範囲内にある限り全て含むものと解釈されることが意図される。
【図１】
0005643805.tif 000002
【図２】
0005643805.tif 000003
【図３】
0005643805.tif 000004